(57)【要約】【課題】簡単に目的とする画像をリプリントできるプリンター及びプリンター付きデジタルカメラ、並びに、プリント方法を提供する。【解決手段】プリンター付きデジタルカメラにおいて、内部メモリー２２２の記憶領域に第１記憶領域２２２ａ及び第２記憶領域２２２ｂを設ける。プリントした画像を第１記憶領域２２２ａに記録する。撮影した画像を第２記憶領域２２２ｂに記録する。再生モードとして、第１再生モード及び第２再生モードを用意する。第１再生モードが選択された場合、第１記憶領域２２２ａに記録されている画像を再生し、第２再生モードが選択された場合、第２記憶領域２２２ｂに記録されている画像を再生する。プリントの指示に応じて、再生中の画像をプリントする。【選択図】  図９
2018094841.tif 000002
【特許請求の範囲】
【請求項１】
画像を入力する画像入力部と、
画像を記憶する第１記憶部と、
画像を記憶する第２記憶部と、
プリントされた画像を前記第１記憶部に記録し、かつ、前記画像入力部から入力された画像を前記第２記憶部に記録する記録制御部と、
を備えたプリンター。
【請求項２】
前記第１記憶部に規定の数の画像が記録されると、又は、前記第１記憶部の残容量が不足すると、前記記録制御部は、プリント時点が最も古い画像を前記第１記憶部から消去して、新たにプリントされた画像を前記第１記憶部に記録する、
請求項１に記載のプリンター。
【請求項３】
前記第１記憶部から読み出した画像をプリントした場合、前記記録制御部は、プリントされた画像のプリント時点の情報のみを更新する、
請求項２に記載のプリンター。
【請求項４】
前記第１記憶部が、前記第２記憶部よりも記憶容量が小さい、
請求項１から３のいずれか１項に記載のプリンター。
【請求項５】
前記第１記憶部から前記第２記憶部への画像のコピーが許容され、かつ、前記第２記憶部から前記第１記憶部への画像のコピーが禁止される、
請求項１から４のいずれか１項に記載のプリンター。
【請求項６】
表示部と、
第１再生モード又は第２再生モードを選択する再生モード選択部と、
前記再生モード選択部により前記第１再生モードが選択されると、前記第１記憶部に記録されている画像を前記表示部に再生し、前記第２再生モードが選択されると、前記第２記憶部に記録されている画像を前記表示部に再生する再生制御部と、
再生中の画像に対してプリント指示するプリント指示部と、
を備えた請求項１から５のいずれか１項に記載のプリンター。
【請求項７】
前記再生制御部は、前記第１再生モードが選択されると、前記第１記憶部に記録されている画像をプリント時点が新しい順に再生する、
請求項６に記載のプリンター。
【請求項８】
再生中の画像に対して加工を指示する加工指示部と、
前記加工指示部からの加工の指示に応じて、再生中の画像を加工する画像加工部と、
を更に備えた請求項６又は７に記載のプリンター。
【請求項９】
前記画像加工部は、画像の加工として、ビネット加工、エフェクト加工、及び、明るさ変更の少なくとも１つを実施する、
請求項８に記載のプリンター。
【請求項１０】
内部メモリーが、前記第１記憶部及び前記第２記憶部として機能する、
請求項１から９のいずれか１項に記載のプリンター。
【請求項１１】
内部メモリーが、前記第１記憶部として機能し、
着脱自在な外部メモリーが、前記第２記憶部として機能する、
請求項１から９のいずれか１項に記載のプリンター。
【請求項１２】
前記画像入力部は、通信により外部機器から画像を入力する、
請求項１から１１のいずれか１項に記載のプリンター。
【請求項１３】
請求項１から１２のいずれか１項に記載のプリンターと、
撮影光学系及びイメージセンサーを含む撮影部と、
を備え、
前記画像入力部は、前記撮影部により撮影された画像を入力する、
プリンター付きデジタルカメラ。
【請求項１４】
第１撮影モード又は第２撮影モードを選択する撮影モード選択部を更に備え、
前記撮影モード選択部により前記第１撮影モードが選択されると、前記撮影部により撮影された画像を自動的にプリントする、
請求項１３に記載のプリンター付きデジタルカメラ。
【請求項１５】
画像を入力する画像入力部、画像を記憶する第１記憶部、及び、画像を記憶する第２記憶部を備えたプリンターのプリント方法であって、
前記画像入力部から入力した画像、前記第１記憶部から読み出した画像、又は、前記第２記憶部から読み出した画像をプリントするステップと、
プリントした画像を前記第１記憶部に記録するステップと、
前記画像入力部から入力した画像を前記第２記憶部に記録するステップと、
を含むプリント方法。
【請求項１６】
前記プリントした画像を前記第１記憶部に記録するステップは、前記第１記憶部に規定の数の画像が記録されると、又は、前記第１記憶部の残容量が不足すると、プリント時点が最も古い画像を前記第１記憶部から消去して、新たにプリントされた画像を前記第１記憶部に記録する、
請求項１５に記載のプリント方法。
【請求項１７】
前記第１記憶部から読み出した画像をプリントした場合、前記プリントした画像を前記第１記憶部に記録するステップは、プリントされた画像のプリント時点の情報のみを更新する、
請求項１６に記載のプリント方法。
【発明の詳細な説明】
【技術分野】
【０００１】
本発明は、プリンター及びプリンター付きデジタルカメラ、並びに、プリント方法に関する。
【背景技術】
【０００２】
プリンター付きデジタルカメラとして、カメラボディーにプリンターを内蔵したデジタルカメラが知られている。プリンター付きデジタルカメラでは、撮影した画像をプリントするだけでなく、メモリーに記録できる。このため、撮影時はプリントせず、後でメモリーに記録されている画像をプリントするといった使い方もできる。
【０００３】
特許文献１には、プリンター付きデジタルカメラにおいて、プリントした画像の画像ファイルに所定の識別信号を書き込むことにより、メモリーに記録されている個々の画像がプリント済みか否かを判別できるようにすることが提案されている。特許文献１に記載のプリンター付きデジタルカメラでは、画像再生時に識別信号の有無を判定し、識別信号がある場合は、画面にプリント済みであることを示す情報を表示して、再生中の画像がプリント済みであることを判別できるようにしている。
【０００４】
また、特許文献２には、画像をプリントするメディアにＩＣタグを付し、そのＩＣタグに画像の記録場所等の情報を書き込むことで、画像がプリントされたメディアから画像の記録場所等の情報を入手できるようにすることが提案されている。
【先行技術文献】
【特許文献】
【０００５】
【特許文献１】特開２００２−１７６６０７号公報
【特許文献２】特開２００４−７２１４６号公報
【発明の概要】
【発明が解決しようとする課題】
【０００６】
しかしながら、特許文献１の方法では、画像をリプリントする際、メモリーに記録されている画像を１枚ずつ確認しながら目的とする画像を探索する必要があり、リプリントに手間がかかるという欠点がある。
【０００７】
また、特許文献２の方法では、プリントしたメディアが手元にないと、画像の記録場所の情報を入手できないという欠点がある。
【０００８】
本発明は、このような事情に鑑みてなされたもので、簡単に目的とする画像をリプリントできるプリンター及びプリンター付きデジタルカメラ、並びに、プリント方法を提供することを目的とする。
【課題を解決するための手段】
【０００９】
上記課題を解決するための手段は、次のとおりである。
【００１０】
（１）画像を入力する画像入力部と、画像を記憶する第１記憶部と、画像を記憶する第２記憶部と、プリントされた画像を第１記憶部に記録し、かつ、画像入力部から入力された画像を第２記憶部に記録する記録制御部と、を備えたプリンター。
【００１１】
本態様によれば、画像を記憶する記憶部として、第１記憶部及び第２記憶部が備えられる。第１記憶部には、プリントした画像が記録される。一方、第２記憶部には、画像入力部から入力した画像が記録される。リプリントする場合は、第１記憶部に記録された画像だけを対象にして目的とする画像を探索すればよいので、簡単に、かつ、効率よく目的とする画像を探索して、リプリントできる。
【００１２】
（２）第１記憶部に規定の数の画像が記録されると、又は、第１記憶部の残容量が不足すると、記録制御部は、プリント時点が最も古い画像を第１記憶部から消去して、新たにプリントされた画像を第１記憶部に記録する、上記（１）のプリンター。
【００１３】
本態様によれば、一定枚数の画像が第１記憶部に記録されると、又は、第１記憶部の残容量が不足すると、プリント時点が最も古い画像が消去されて、新たにプリントされた画像が記録される。すなわち、プリント時点が古い画像から順に消去されて、第１記憶部に記録される画像が更新される。これにより、目的とする画像を効率よく探索できる。なお、第１記憶部の残容量が不足するとは、第１記憶部の残容量が、新たに記録する画像の容量よりも少ない場合をいう。すなわち、新たな画像を記録できない場合をいう。
【００１４】
（３）第１記憶部から読み出した画像をプリントした場合、記録制御部は、プリントされた画像のプリント時点の情報のみを更新する、上記（２）のプリンター。
【００１５】
本態様によれば、第１記憶部から読み出した画像をプリントした場合は、プリントされた画像のプリント時点の情報のみが更新される。これにより、同じ画像を重複して記録するのを防止できる。
【００１６】
（４）第１記憶部が、第２記憶部よりも記憶容量が小さい、上記（１）から（３）のいずれか一のプリンター。
【００１７】
本態様によれば、第１記憶部が第２記憶部よりも記憶容量が小さい。したがって、同じ画像を記録する場合、記録できる画像の数が、第２記憶部よりも第１記憶部の方が少ない。これにより、第１記憶部に記録する画像の数を制限できる。
【００１８】
（５）第１記憶部から第２記憶部への画像のコピーが許容され、かつ、第２記憶部から第１記憶部への画像のコピーが禁止される、上記（１）から（４）のいずれか一のプリンター。
【００１９】
本態様によれば、第１記憶部から第２記憶部への画像のコピーが許容され、かつ、第２記憶部から第１記憶部への画像のコピーが禁止される。第１記憶部から第２記憶部に画像がコピーできることにより、第１記憶部に記録されている画像を第２記憶部に退避させることができる。これにより、お気に入りの画像が消されるのを防止できる。また、第２記憶部から第１記憶部への画像のコピーを禁止することにより、プリントした画像の管理が不能になるのを未然に防止できる。
【００２０】
（６）表示部と、第１再生モード又は第２再生モードを選択する再生モード選択部と、再生モード選択部により第１再生モードが選択されると、第１記憶部に記録されている画像を表示部に再生し、第２再生モードが選択されると、第２記憶部に記録されている画像を表示部に再生する再生制御部と、再生中の画像に対してプリント指示するプリント指示部と、を備えた上記（１）から（５）のいずれか一のプリンター。
【００２１】
本態様によれば、画像の再生モードとして、第１再生モード又は第２再生モードを選択できる。第１再生モードを選択すると、第１記憶部に記録されている画像が表示部に再生される。一方、第２再生モードを選択すると、第２記憶部に記録されている画像が再生される。双方のモードにおいて、再生中の画像に対してプリントを指示できる。これにより、簡単に、かつ、効率よく目的とする画像をプリントできる。
【００２２】
（７）再生制御部は、第１再生モードが選択されると、第１記憶部に記録されている画像をプリント時点が新しい順に再生する、上記（６）のプリンター。
【００２３】
本態様によれば、第１記憶部に記録されている画像を再生する際、プリント時点が新しい順に再生される。これにより、繰り返しリプリントされる画像を優先的に再生でき、目的とする画像をより効率よく探索できる。
【００２４】
（８）再生中の画像に対して加工を指示する加工指示部と、加工指示部からの加工の指示に応じて、再生中の画像を加工する画像加工部と、を更に備えた上記（６）又は（７）のプリンター。
【００２５】
本態様によれば、再生中の画像を加工できる。
【００２６】
（９）画像加工部は、画像の加工として、ビネット加工、エフェクト加工、及び、明るさ変更の少なくとも１つを実施する、上記（８）のプリンター。
【００２７】
本態様によれば、再生中の画像に対して、ビネット加工、エフェクト加工、及び、明るさ変更の少なくとも１つを実施できる。
【００２８】
（１０）内部メモリーが、第１記憶部及び第２記憶部として機能する、上記（１）から（９）のいずれか一のプリンター。
【００２９】
本態様によれば、１つの内部メモリーが、第１記憶部及び第２記憶部として機能する。この場合、内部メモリーの一の記憶領域が第１記憶部として機能し、他の一の記憶領域が第２記憶部として機能する。これにより、構成を簡素化できる。
【００３０】
（１１）内部メモリーが、第１記憶部として機能し、着脱自在な外部メモリーが、第２記憶部として機能する、上記（１）から（９）のいずれか一のプリンター。
【００３１】
本態様によれば、内部メモリーが第１記憶部として機能し、着脱自在な外部メモリーが第２記憶部として機能する。着脱自在な外部メモリーが第２記憶部として機能することにより、入力される画像の数が増えても、容易に対応できる。
【００３２】
（１２）画像入力部は、通信により外部機器から画像を入力する、上記（１）から（１１）のいずれか一のプリンター。
【００３３】
本態様によれば、通信により外部機器から画像を入力できる。
【００３４】
（１３）上記（１）から（１２）のいずれか一のプリンターと、撮影光学系及びイメージセンサーを含む撮影部と、を備え、画像入力部は、撮影部により撮影された画像を入力する、プリンター付きデジタルカメラ。
【００３５】
本態様によれば、画像を撮影できる。そして、撮影した画像を記録でき、かつ、プリントできる。撮影した画像は、第２記憶部に記録される。撮影した画像をプリントした場合には、第１記憶部にも記録される。
【００３６】
（１４）第１撮影モード又は第２撮影モードを選択する撮影モード選択部を更に備え、撮影モード選択部により第１撮影モードが選択されると、撮影部により撮影された画像を自動的にプリントする、上記（１３）のプリンター付きデジタルカメラ。
【００３７】
本態様によれば、撮影モードとして、第１撮影モード又は第２撮影モードを選択できる。第１撮影モードを選択すると、撮影された画像が自動的にプリントされる。したがって、この場合、撮影した画像が自動的に第１記憶部及び第２記憶部に記録される。
【００３８】
（１５）画像を入力する画像入力部、画像を記憶する第１記憶部、及び、画像を記憶する第２記憶部を備えたプリンターのプリント方法であって、画像入力部から入力した画像、第１記憶部から読み出した画像、又は、第２記憶部から読み出した画像をプリントするステップと、プリントした画像を第１記憶部に記録するステップと、画像入力部から入力した画像を第２記憶部に記録するステップと、を含むプリント方法。
【００３９】
本態様によれば、画像を入力すると、入力した画像が第２記憶部に記録される。また、画像をプリントすると、プリントした画像が第１記憶部に記録される。リプリントする場合は、第１記憶部に記録された画像だけを対象にして、目的とする画像を探索すればよいので、簡単に、かつ、効率よく目的とする画像を探索できる。
【００４０】
（１６）プリントした画像を第１記憶部に記録するステップは、第１記憶部に規定の数の画像が記録されると、又は、第１記憶部の残容量が不足すると、プリント時点が最も古い画像を第１記憶部から消去して、新たにプリントされた画像を第１記憶部に記録する、上記（１５）のプリント方法。
【００４１】
本態様によれば、一定枚数の画像が第１記憶部に記録されると、又は、第１記憶部の残容量が不足すると、プリント時点が最も古い画像が消去されて、新たにプリントされた画像が記録される。すなわち、プリント時点が古い画像から順に消去されて、第１記憶部に記録される画像が更新される。これにより、目的とする画像を効率よく探索できる。なお、第１記憶部の残容量が不足するとは、第１記憶部の残容量が、新たに記録する画像の容量よりも少ない場合をいう。すなわち、新たな画像を記録できない場合をいう。
【００４２】
（１７）第１記憶部から読み出した画像をプリントした場合、プリントした画像を第１記憶部に記録するステップは、プリントされた画像のプリント時点の情報のみを更新する、上記（１６）のプリント方法。
【００４３】
本態様によれば、第１記憶部から読み出した画像をプリントした場合は、プリントされた画像のプリント時点の情報のみが更新される。これにより、同じ画像を重複して記録するのを防止できる。
【発明の効果】
【００４４】
本発明によれば、目的とする画像を簡単にリプリントできる。
【図面の簡単な説明】
【００４５】
【図１】プリンター付きデジタルカメラの一実施形態を示す正面斜視図
【図２】プリンター付きデジタルカメラの一実施形態を示す背面斜視図
【図３】プリンター付きデジタルカメラの一実施形態を示す正面図
【図４】プリンター付きデジタルカメラの一実施形態を示す背面図
【図５】プリンター付きデジタルカメラの内部の機械的構成を示す図
【図６】インスタントフィルムの正面図
【図７】インスタントフィルムの背面図
【図８】プリンター付きデジタルカメラの電気的構成を示す図
【図９】システムコントローラーが実現する主な機能のブロック図
【図１０】オートモードでの処理手順を示すフローチャート
【図１１】オートモードでの処理手順を示すフローチャート
【図１２】ライブビュー中のモニターの画面表示の一例を示す図
【図１３】プレビュー中のモニターの画面表示の一例を示す図
【図１４】インスタントフィルムの排出状態を示す図
【図１５】プリントした画像を第１記憶領域に記録する場合の処理の手順を示すフローチャート
【図１６】プリントアニメーション処理時のモニターの画面表示の遷移を示す図
【図１７】マニュアルモードでの処理手順を示すフローチャート
【図１８】ダイアログが表示されたモニターの画面表示の一例を示す図
【図１９】第２再生モードの処理手順を示すフローチャート
【図２０】再生モードに設定された場合のモニターの画面表示の一例を示す図
【図２１】ダイアログが表示されたモニターの画面表示の一例を示す図
【図２２】第１再生モードの処理手順を示すフローチャート
【図２３】第１記憶部を内部メモリーで構成し、第２記憶部を着脱自在な外部メモリーで構成する場合のプリンター付きデジタルカメラの電気的構成を示す図
【図２４】通信機能を備えたプリンター付きデジタルカメラの電気的構成を示す図
【発明を実施するための形態】
【００４６】
以下、添付図面に従って本発明の好ましい実施の形態について詳説する。
【００４７】
◆◆プリンター付きデジタルカメラ◆◆
［外観構成］
図１から図４は、プリンター付きデジタルカメラの一実施形態を示す正面斜視図、背面斜視図、正面図、背面図である。
【００４８】
図１から図４に示すプリンター付きデジタルカメラ１は、インスタントフィルムをプリント用のメディアとして使用するプリンター付きデジタルカメラである。なお、図３及び図４において、矢印ｘで示す方向を左右方向とし、矢印ｙで示す方向を上下方向とする。左右方向は、横方向又は幅方向と同義である。また、上下方向は高さ方向と同義である。
【００４９】
プリンター付きデジタルカメラ１は、携帯可能なカメラボディー１０を備える。カメラボディー１０は、正面部に撮影レンズ１２、電源リング１４、第１レリーズボタン１６Ａ、第２レリーズボタン１６Ｂ、フラッシュ１８、及び、補助光ランプ２０を備える。また、カメラボディー１０は、背面部にモニター２２及び背面操作部２４を備える。更に、カメラボディー１０は、右側面部に撮影モード切換レバー２６を備え、天面部にプリント排出口２８を備える。
【００５０】
《カメラボディー》
カメラボディー１０は、全体として丸みを帯びた平たいブロック形状を有する。カメラボディー１０は、左右いずれの手でもグリップできるように、全体として左右対称な形状を有する。
【００５１】
カメラボディー１０は、本体部１０Ａ及び裏蓋部１０Ｂで構成される。裏蓋部１０Ｂは、カメラボディー１０の背面部を構成し、ヒンジ部１０Ｃを介して本体部１０Ａに開閉可能に設けられる。本体部１０Ａには、裏蓋部１０Ｂをロックする裏蓋部ロック機構が備えられる。裏蓋部１０Ｂは、閉じられると、裏蓋部ロック機構によって自動的にロックされる。ロックの解除は、裏蓋部１０Ｂに備えられたスライド式のロック解除レバー３０で行われる。ただし、プリント中は、操作が不能とされる。すなわち、プリント中は、裏蓋部１０Ｂが開けられないように強制的にロックされる。
【００５２】
《撮影レンズ》
撮影レンズ１２は、カメラボディー１０の正面の略中央位置に配置される。撮影レンズ１２は、単焦点レンズで構成される。
【００５３】
《電源リング》
電源リング１４は、プリンター付きデジタルカメラ１の電源をオン及びオフする操作部材である。電源リング１４は、リング形状を有し、撮影レンズ１２の同軸上に配置される。電源リング１４は、撮影レンズ１２の回りを回転操作されて、プリンター付きデジタルカメラ１の電源をオン及びオフする。電源リング１４の可動範囲は制限されており、可動範囲の一端まで回転させると、プリンター付きデジタルカメラ１の電源がオンされ、可動範囲の他端まで回転させると、プリンター付きデジタルカメラ１の電源がオフされる。
【００５４】
《第１レリーズボタン及び第２レリーズボタン》
第１レリーズボタン１６Ａ及び第２レリーズボタン１６Ｂは、撮影を指示する操作部材であり、撮影指示部の一例である。第１レリーズボタン１６Ａ及び第２レリーズボタン１６Ｂは、カメラボディー１０の正面に備えられ、左右対称に配置される。第１レリーズボタン１６Ａ及び第２レリーズボタン１６Ｂは、いわゆる「半押し」と「全押し」が可能な２段ストローク式の押圧ボタンで構成される。プリンター付きデジタルカメラ１は、第１レリーズボタン１６Ａ又は第２レリーズボタン１６Ｂの半押しで撮影準備され、全押しで本撮影される。本撮影とは、画像を記録するための撮影のことである。
【００５５】
《フラッシュ》
フラッシュ１８は、カメラボディー１０の正面に備えられ、撮影レンズ１２の略真上の位置に配置される。フラッシュ１８は、キセノン管で構成される。
【００５６】
《補助光ランプ》
補助光ランプ２０は、ＡＦ（AF : Auto Focus／自動焦点）用の補助光を発光するランプである。補助光ランプ２０は、暗い環境で撮影する場合に発光され、ＡＦの補助に供される。補助光ランプ２０は、ＬＥＤ（LED : Light Emitting Diode／発光ダイオード）で構成され、カメラボディー１０の正面に備えられる。
【００５７】
《モニター》
モニター２２は、表示部の一例である。モニター２２は、カラーＬＣＤ（LCD : Liquid Crystal Display／液晶ディスプレー）で構成される。モニター２２は、カメラボディー１０の背面に備えられる。モニター２２は、いわゆるワイドモニターであり、横長の画面を有する。
【００５８】
《背面操作部》
背面操作部２４は、ＯＫボタン２４ａ、コマンドダイヤル２４ｂ、及び、６つの機能ボタン２４ｃ１〜２４ｃ６を備える。ＯＫボタン２４ａ、コマンドダイヤル２４ｂ、及び、６つの機能ボタン２４ｃ１〜２４ｃ６は、同心円状に配置され、全体として円形の操作部を構成する。背面操作部２４は、カメラボディー１０の背面に備えられる。モニター２２と背面操作部２４は、共にカメラボディー１０の背面の幅方向の中央に配置され、上下に並べて配置される。特に、背面操作部２４は、カメラボディー１０を把持する手の親指で操作可能な位置に配置され、かつ、左右いずれの手でもほぼ同じ操作感で操作できるように左右対称に配置される。
【００５９】
〈ＯＫボタン〉
ＯＫボタン２４ａは、問い合わせに対してＯＫを指示するボタンである。ＯＫボタン２４ａは、円形の押圧ボタンで構成され、背面操作部２４の中央に配置される。
【００６０】
ＯＫボタン２４ａは、確定ボタン、メニューボタンとしても機能する。確定ボタンとは、選択した事項等を確定するボタンである。また、メニューボタンとは、モニター２２にメニュー画面を呼び出すボタンである。
【００６１】
〈コマンドダイヤル〉
コマンドダイヤル２４ｂは、リング形状のタッチセンサーで構成され、その表面を円に沿って撫でることで回転操作される。コマンドダイヤル２４ｂは、十字キーとしての機能も備え、上下左右の４方向に押圧操作可能に構成される。コマンドダイヤル２４ｂは、方向キーを兼ねた回転ダイヤルの一例である。
【００６２】
コマンドダイヤル２４ｂは、ＯＫボタン２４ａと同軸上に配置され、コマンドダイヤル２４ｂの内周部にＯＫボタン２４ａが配置される。これにより、カメラボディー１０をグリップする手の親指でコマンドダイヤル２４ｂ及びＯＫボタン２４ａを操作でき、良好な操作性を提供できる。
【００６３】
〈機能ボタン〉
６つの機能ボタン２４ｃ１〜２４ｃ６は、同一円周上に配置され、全体として１つの円を構成する。各ボタンは、同一形状であり、リングを６等分割した形状を有する。各ボタンは、押圧ボタンで構成される。
【００６４】
第１の機能ボタン２４ｃ１は、ビネットボタンとしての機能を有する。以下、第１の機能ボタン２４ｃ１をビネットボタンと称する。ビネットボタンとは、再生中の画像に対してビネット加工を指示するボタンのことである。ビネット加工とは、画像の周辺を暗くする加工のことである。
【００６５】
第２の機能ボタン２４ｃ２は、エフェクトボタンとしての機能を有する。以下、第２の機能ボタン２４ｃ２をエフェクトボタンと称する。エフェクトボタンとは、再生中の画像に対してエフェクト加工を指示するボタンのことである。エフェクト加工とは、画像に一定の効果を与える加工のことであり、たとえば、画像の色調を変更したり、ぼかしたりする加工が該当する。
【００６６】
第３の機能ボタン２４ｃ３は、明るさボタンとしての機能を有する。以下、第３の機能ボタン２４ｃ３を明るさボタンと称する。明るさボタンとは、再生中の画像に対して明るさ変更を指示するボタンのことである。
【００６７】
本実施の形態のプリンター付きデジタルカメラ１では、ビネットボタン２４ｃ１、エフェクトボタン２４ｃ２、及び、明るさボタン２４ｃ３が、加工指示部を構成する。
【００６８】
第４の機能ボタン２４ｃ４は、プリントボタンとしての機能を有する。以下、第４の機能ボタン２４ｃ４をプリントボタンと称する。プリントボタンとは、モニター２２に表示中の画像に対してプリントを指示するボタンのことである。したがって、本実施の形態のプリンター付きデジタルカメラ１では、プリントボタンがプリント指示部を構成する。
【００６９】
第５の機能ボタン２４ｃ５は、バックボタンとしての機能を有する。以下、第５の機能ボタン２４ｃ５をバックボタンと称する。バックボタンとは、１つ前の状態に戻すことを指示するボタンのことである。１つ前の状態に戻すので、選択した事項、指示した事項等はキャンセルされる。したがって、バックボタン２４ｃ５は、キャンセルボタンとしての機能も有する。
【００７０】
第６の機能ボタン２４ｃ６は、再生ボタンとしての機能を有する。以下、第６の機能ボタン２４ｃ６を再生ボタンと称する。再生ボタンとは、再生モードへの切り換えを指示するボタンのことである。プリンター付きデジタルカメラ１が、撮影モードに設定されている状態で再生ボタン２４ｃ６を押圧すると、再生モードに切り換えられる。
【００７１】
なお、再生モードから撮影モードへの切り換えは、第１レリーズボタン１６Ａ又は第２レリーズボタン１６Ｂの操作で行われる。すなわち、プリンター付きデジタルカメラ１が再生モードに設定されている状態で第１レリーズボタン１６Ａ又は第２レリーズボタン１６Ｂが押圧されると、撮影モードに切り換えられる。
【００７２】
《撮影モード切換レバー》
撮影モード切換レバー２６は、撮影モードを切り換えるための操作部材である。撮影モード切換レバー２６は、撮影モード選択部の一例である。撮影モード切換レバー２６は、スライド式のスイッチで構成され、カメラボディー１０の右側面に備えられる。
【００７３】
撮影モード切換レバー２６をスライド操作して、「オート位置」に設定すると、第１撮影モードである「オートモード」に設定される。また、「マニュアル位置」に設定すると、第２撮影モードである「マニュアルモード」に設定される。オートモード（第１撮影モード）は、撮影した画像を自動的にプリントするモードである。また、マニュアルモード（第２撮影モード）は、撮影した画像をユーザーからの指示に応じてプリントするモードである。
【００７４】
《プリント排出口》
プリント排出口２８は、プリントされたインスタントフィルムの排出口である。プリント排出口２８は、インスタントフィルムが通過可能なスリットとして、カメラボディー１０の天面の幅方向の中央に備えられる。インスタントフィルム１１０は、プリント排出口２８から真上に向けて排出される。
【００７５】
［内部の機械的構成］
図５は、プリンター付きデジタルカメラの内部の機械的構成を示す図である。なお、図５には主要部の構成のみを示している。また、図５において、矢印ｚで示す方向をプリンター付きデジタルカメラ１の厚さ方向とする。
【００７６】
プリンター付きデジタルカメラ１の内部には、デジタルカメラに係る構成として、撮影レンズ１２及びイメージセンサー４２が備えられる。また、プリンターに係る構成として、インスタントフィルムパック１００、フィルム装填室５０、フィルム送出機構５２、フィルム搬送機構５４、及び、プリントヘッド５６が備えられる。
【００７７】
《デジタルカメラに係る構成》
〈撮影レンズ〉
撮影レンズ１２は、撮影光学系の一例である。撮影レンズ１２は、フォーカスレンズを含む複数のレンズで構成される。なお、図５では簡略化して１枚のレンズのみを図示している。撮影レンズ１２は、フォーカスレンズを光軸に沿って前後移動させることで、焦点調節される。
【００７８】
撮影レンズ１２には、絞り１２ａ及びシャッター１２ｂが備えられる。絞り１２ａによって撮影レンズ１２を通る光の光量が調整される。シャッター１２ｂによって、撮影レンズ１２を通る光が遮光される。
【００７９】
〈イメージセンサー〉
イメージセンサー４２は、たとえば、ＣＣＤイメージセンサー（CCD ： Charge Coupled Device）、ＣＭＯＳイメージセンサー（CMOS : Complementary Metal Oxide Semiconductor）等の二次元の固体撮像素子で構成される。イメージセンサー４２は、使用するインスタントフィルムのプリント可能領域に対応したアスペクト比の撮像領域を有する。
【００８０】
本実施の形態のプリンター付きデジタルカメラ１では、撮影レンズ１２及びイメージセンサーが、撮影部を構成する。
【００８１】
《プリンターに係る構成》
〈インスタントフィルムパック〉
インスタントフィルムパック１００は、複数枚のインスタントフィルム１１０がケース１２０に収容された構造を有する。
【００８２】
図６は、インスタントフィルムの正面図である。図７は、インスタントフィルムの背面図である。
【００８３】
図６及び図７において、矢印Ｆで示す方向が、インスタントフィルム１１０の使用方向である。すなわち、矢印Ｆで示す方向にインスタントフィルム１１０を送り、インスタントフィルム１１０を使用する。したがって、プリンター付きデジタルカメラ１に装填した場合は、矢印Ｆで示す方向が、インスタントフィルム１１０の排出方向となる。
【００８４】
インスタントフィルム１１０は、矩形のカード形状を有する。インスタントフィルム１１０は、裏面側が露光面１１０ａ、正面側が観察面１１０ｂとして構成される。露光面１１０ａが、露光により像を記録する面であり、観察面１１０ｂが、記録された像を観察する面である。
【００８５】
図７に示すように、インスタントフィルム１１０の露光面１１０ａには、露光部１１２、ポッド部１１４、及び、トラップ部１１６が備えられる。
【００８６】
露光部１１２は、露光により画像を記録する部分である。露光部１１２が、インスタントフィルム１１０のプリント可能領域となる。露光部１１２を挟んでポッド部１１４とトラップ部１１６とが前後に配置される。本実施の形態のインスタントフィルム１１０は、アスペクト比が１対１の正方形状の露光部１１２を有する。
【００８７】
ポッド部１１４は、露光部１１２に対して使用方向Ｆの前側に配置される。ポッド部１１４には、現像処理液を内包した現像処理液ポッド１１４ａが内蔵される。
【００８８】
トラップ部１１６は、露光部１１２に対して使用方向Ｆの後側に配置される。トラップ部１１６には、吸収材１１６ａが内蔵される。
【００８９】
図６に示すように、インスタントフィルム１１０の観察面１１０ｂには、観察部１１８が備えられる。観察部１１８は、画像が表示される部分である。露光部１１２を現像処理することにより、観察部１１８に画像が表示される。観察部１１８は、露光部１１２に対応して配置される。観察部１１８の周囲には、枠１１８ａが備えられる。したがって、画像は枠内に表示される。観察部１１８のアスペクト比は、露光部１１２と同じ１対１であり、正方形状を有する。
【００９０】
なお、インスタントフィルム１１０は、トラップ部１１６が上、ポッド部１１４が下となる向きで観賞する。したがって、画像は、トラップ部１１６が上、ポッド部１１４が下となる向きでプリントされる。
【００９１】
インスタントフィルム１１０は、露光後、ポッド部１１４の現像処理液を露光部１１２に展開させることにより現像処理される。ポッド部１１４の現像処理液は、インスタントフィルム１１０をローラー対の間に通すことで、ポッド部１１４から絞り出され、露光部１１２に展開される。展開処理時に余った現像処理液が、トラップ部１１６で捕捉される。
【００９２】
ケース１２０は、矩形の箱形状を有する。ケース１２０は、正面部分に露光用の開口部１２０ａを有し、かつ、天面部分にスリット状の排出口１２０ｂを有する。インスタントフィルム１１０は、露光面１１０ａをケース１２０の正面側に向け、かつ、ポッド部１１４をケース１２０の天面側に向けて、ケース内に重ねて収容される。
【００９３】
また、ケース１２０は、底面部分にスリット状のクロー開口部１２０ｃを有する。ケース１２０に収容されたインスタントフィルム１１０は、このクロー開口部１２０ｃからクローを進入させることにより、１枚ずつ排出口１２０ｂに向けて送られ、排出口１２０ｂから排出される。
【００９４】
１つのインスタントフィルムパック１００には、１０枚のインスタントフィルム１１０が収容される。
【００９５】
〈フィルム装填室〉
フィルム装填室５０は、インスタントフィルムパック１００の装填部である。フィルム装填室５０は、インスタントフィルムパック１００を収容可能な凹部としてカメラボディー１０の本体部１０Ａに備えられる。カメラボディー１０の裏蓋部１０Ｂを開けると、フィルム装填室５０が露呈し、インスタントフィルムパック１００の装填が可能になる。
【００９６】
〈フィルム送出機構〉
フィルム送出機構５２は、フィルム装填室５０に装填されたインスタントフィルムパック１００からインスタントフィルム１１０を１枚ずつ送り出す。フィルム送出機構５２は、インスタントフィルム１１０の送り方向に沿って前後移動するクロー５２ａを備え、そのクロー５２ａでケース内のインスタントフィルム１１０を１枚ずつ掻き出して、インスタントフィルム１１０をインスタントフィルムパック１００から送り出す。
【００９７】
〈フィルム搬送機構〉
フィルム搬送機構５４は、フィルム送出機構５２によってインスタントフィルムパック１００から送出されたインスタントフィルム１１０を一定速度で搬送する。フィルム搬送機構５４は、搬送ローラー対５４Ａ及び展開ローラー対５４Ｂを備える。
【００９８】
搬送ローラー対５４Ａは、図示しないモーターに駆動されて回転し、インスタントフィルム１１０の両サイドを挟持して搬送する。
【００９９】
展開ローラー対５４Ｂは、図示しないモーターに駆動されて回転し、インスタントフィルム１１０の全体を挟持して搬送する。そして、その搬送過程でインスタントフィルム１１０のポッド部１１４を押し潰して、現像処理液を展開処理する。
【０１００】
〈プリントヘッド〉
プリントヘッド５６は、インスタントフィルムパック１００から送り出されたインスタントフィルム１１０に画像を記録する。プリントヘッド５６は、ライン型の露光ヘッドで構成される。プリントヘッド５６は、フィルム搬送機構５４によって搬送されるインスタントフィルム１１０の露光面１１０ａに１ラインずつプリント光を照射し、１パスでインスタントフィルム１１０に画像を記録する。
【０１０１】
［電気的構成］
図８は、プリンター付きデジタルカメラの電気的構成を示す図である。なお、図８には、主要部の構成のみを図示している。
【０１０２】
プリンター付きデジタルカメラ１は、デジタルカメラに係る構成として、撮影レンズ１２、撮影レンズ駆動部２１２、イメージセンサー４２、イメージセンサー駆動部２１４、アナログ信号処理部２１６、画像データ入力部２１８、デジタル信号処理部２２０、及び、内部メモリー２２２を備える。また、プリンターに係る構成として、フィルム送出機構５２、フィルム送出機構駆動部２３０、フィルム搬送機構５４、フィルム搬送機構駆動部２３２、プリントヘッド５６、プリントヘッド駆動部２３４、プリント用画像信号処理部２３６を備える。更に、デジタルカメラ及びプリンターに共通の構成として、システムコントローラー２４０、ワークメモリー２４２、データメモリー２４４、モニター２２、モニター駆動部２４６、操作部２４８、及び、電源部２５０を備える。システムコントローラー２４０が全体の制御部として機能する。
【０１０３】
《デジタルカメラに係る構成》
〈撮影レンズ駆動部〉
撮影レンズ駆動部２１２は、撮影レンズ１２の駆動手段である。撮影レンズ駆動部２１２は、フォーカスレンズを駆動し、絞り１２ａを駆動し、かつ、シャッター１２ｂを駆動する。撮影レンズ駆動部２１２は、システムコントローラー２４０の制御の下、撮影レンズ１２を駆動する。
【０１０４】
〈イメージセンサー駆動部〉
イメージセンサー駆動部２１４は、イメージセンサー４２の駆動手段である。イメージセンサー駆動部２１４は、システムコントローラー２４０の制御の下、イメージセンサー４２を駆動する。
【０１０５】
〈アナログ信号処理部〉
アナログ信号処理部２１６は、イメージセンサー４２から出力された信号を取り込み、相関二重サンプリング処理、増幅処理等の所要の信号処理を施し、デジタルの画像信号に変換して出力する。
【０１０６】
〈画像データ入力部〉
画像データ入力部２１８は、画像入力部の一例である。画像データ入力部２１８は、システムコントローラー２４０の制御の下、アナログ信号処理部２１６から出力されるデジタルの画像信号を取り込む。取り込まれた１枚分の画像データは、ワークメモリー２４２に格納される。
【０１０７】
〈デジタル信号処理部〉
デジタル信号処理部２２０は、ワークメモリー２４２に取り込まれた画像データに対して、同時化処理、ホワイトバランス補正、ガンマ補正、輪郭補正等の所要の信号処理を施し、輝度データ（Ｙデータ）と色差データ（Ｃｒ，Ｃｂデータ）とからなる所定の画像データを生成する。
【０１０８】
〈内部メモリー〉
内部メモリー２２２は、画像の記憶部であり、たとえば、ＥＥＰＲＯＭ （ＥＥＰＲＯＭ：Electrically Erasable Programmable Read Only Memory）等の不揮発性メモリーで構成される。
【０１０９】
内部メモリー２２２は、第１記憶部及び第２記憶部として機能する。内部メモリー２２２は、その記憶領域に第１記憶領域２２２ａ及び第２記憶領域２２２ｂを有する。第１記憶領域２２２ａが第１記憶部を構成し、第２記憶領域２２２ｂが第２記憶部を構成する。第１記憶領域２２２ａには、プリントした画像が記録され、第２記憶領域２２２ｂには、撮影した画像が記録される。この点については、後に詳述する。
【０１１０】
《プリンターに係る構成》
〈フィルム送出機構駆動部〉
フィルム送出機構駆動部２３０は、フィルム送出機構５２の駆動手段である。フィルム送出機構駆動部２３０は、システムコントローラー２４０の制御の下、クロー５２ａを駆動する。
【０１１１】
〈フィルム搬送機構駆動部〉
フィルム搬送機構駆動部２３２は、フィルム搬送機構５４の駆動手段である。フィルム搬送機構駆動部２３２は、システムコントローラー２４０からの指令に応じて、搬送ローラー対５４Ａ及び展開ローラー対５４Ｂを回転駆動する。
【０１１２】
〈プリントヘッド駆動部２３４〉
プリントヘッド駆動部２３４は、プリントヘッド５６の駆動手段である。プリントヘッド駆動部２３４は、システムコントローラー２４０の制御の下、プリントヘッド５６を駆動する。
【０１１３】
〈プリント用画像信号処理部〉
プリント用画像信号処理部２３６は、システムコントローラー２４０の制御の下、プリント用の画像データを生成する。プリント用の画像データとは、プリントヘッド５６によってインスタントフィルム１１０に記録するための画像データのことである。プリントヘッド５６は、プリント用画像信号処理部２３６で生成されたプリント用の画像データに基づいて駆動され、インスタントフィルム１１０に画像を記録する。
【０１１４】
《デジタルカメラ及びプリンターに共通の構成》
〈システムコントローラー〉
システムコントローラー２４０は、プリンター付きデジタルカメラ１の全体の制御部である。システムコントローラー２４０は、コンピューターで構成され、所定のプログラムを実行することにより、各種機能を提供する。
【０１１５】
特に、本実施の形態のプリンター付きデジタルカメラ１は、システムコントローラー２４０が、所定のプログラムを実行することにより、記録制御部２４０ａ、再生制御部２４０ｂ、画像加工部２４０ｃ、撮影制御部２４０ｄ、プリント制御部２４０ｅ等として機能する。
【０１１６】
図９は、システムコントローラーが実現する主な機能のブロック図である。
【０１１７】
＜記録制御部＞
記録制御部２４０ａは、内部メモリー２２２に画像を記録する処理を行う。
【０１１８】
上記のように、内部メモリー２２２は、その記憶領域に第１記憶領域２２２ａ及び第２記憶領域２２２ｂを有する。記録制御部２４０ａは、画像がプリントされると、プリントされた画像を内部メモリー２２２の第１記憶領域２２２ａに記録し、画像が撮影されると、撮影された画像を内部メモリー２２２の第２記憶領域２２２ｂに記録する。
【０１１９】
記録制御部２４０ａは、プリントされた画像を第１記憶領域２２２ａに記録する際、プリント日時の情報を付加して、画像を第１記憶領域２２２ａに記録する。プリント日時の情報は、第１記憶領域２２２ａに記録された画像が、プリントされた日時を表わす情報であり、プリント時点の情報を構成する。プリント日時の情報は、たとえば、画像ファイルのヘッダーに記録される。
【０１２０】
なお、日時は、図示しない計時部で計時される。記録制御部２４０ａは、プリントされた画像を第１記憶領域２２２ａに記録する際、計時部から日時の情報を取得して、プリント日時の情報を取得する。
【０１２１】
また、記録制御部２４０ａは、撮影された画像を第２記憶領域２２２ｂに記録する際、コマ番号を付して、画像を第２記憶領域２２２ｂに記録する。コマ番号は、記録順に付与される。したがって、コマ番号が小さいほど記録された日時、すなわち、撮影時点が古い画像となる。
【０１２２】
第１記憶領域２２２ａは、第２記憶領域２２２ｂよりも記憶容量が小さく設定され、規定の数の画像を記録できるように構成される。一例として、１００枚の画像が記録できるように構成される。
【０１２３】
記録制御部２４０ａは、第１記憶領域２２２ａに規定枚数（１００枚）の画像が記録されると、プリント時点が古い画像を順次消去して、新たにプリントされた画像を記録してゆく。
【０１２４】
なお、第１記憶領域２２２ａから読み出した画像をプリントした場合、記録制御部２４０ａは、改めて画像は記録せず、プリントした画像のプリント日時の情報のみ更新する。すなわち、この場合、プリントした画像自体は、既に第１記憶領域２２２ａに記録されているので、改めて画像は記録せず、プリントした画像のプリント日時の情報のみ更新する。これにより、同じ画像が重複して第１記憶領域２２２ａに記録されるのを防止できる。
【０１２５】
＜再生制御部＞
再生制御部２４０ｂは、内部メモリー２２２に記録されている画像をモニター２２に再生する処理を行う。再生制御部２４０ｂは、操作部２４８の操作に応じて、内部メモリー２２２に記録されている画像をモニター２２に再生する。
【０１２６】
画像の再生は、カメラのモードを再生モードに設定することにより行われる。上記のように、再生モードへの切り換えは、再生ボタン２４ｃ６により行われる。撮影モードに設定されている状態で再生ボタン２４ｃ６を押圧すると、カメラの動作モードが再生モードに設定される。
【０１２７】
ここで、本実施の形態のプリンター付きデジタルカメラ１は、再生モードとして、第１再生モード及び第２再生モードを備えている。第１再生モードは、内部メモリー２２２の第１記憶領域２２２ａに記録されている画像を再生するモードである。一方、第２再生モードは、内部メモリー２２２の第２記憶領域２２２ｂに記録されている画像を再生するモードである。第１記憶領域２２２ａには、プリントした画像が記録されるので、第１再生モードを選択することにより、ユーザーは、これまでにプリントした画像を確認できる。一方、第２記憶領域２２２ｂには、撮影した画像が記録されるので、第２再生モードを選択することにより、ユーザーは、これまでに撮影した画像を確認できる。
【０１２８】
本実施の形態のプリンター付きデジタルカメラ１は、撮影モードから再生モードに切り換えると、第２再生モードの状態で再生モードに設定される。第２再生モードから第１再生モードへの切り換えは、再生用のメニュー画面で行われる。第２再生モードに設定された状態でＯＫボタン２４ａを押圧すると、再生用のメニュー画面がモニター２２に表示される。その再生用のメニュー画面に表示される複数の選択項目の中から「プリント履歴」の項目を選択すると、再生モードが第１再生モードに切り換えられる。項目の選択は、操作部２４８で行われる。具体的には、コマンドダイヤル２４ｂを回転操作又は押圧操作することにより項目を選択し、ＯＫボタン２４ａを押圧操作することにより選択を確定させる。
【０１２９】
なお、第１再生モードから第２再生モードへの切り換えは、再生ボタン２４ｃ６を押圧することにより行われる。
【０１３０】
第１再生モードに設定されると、再生制御部２４０ｂは、内部メモリー２２２の第１記憶領域２２２ａに記録された画像を読み出して、モニター２２に表示させる。この際、再生制御部２４０ｂは、まず、プリント時点が最も新しい画像を読み出して、モニター２２に表示させる。以後、操作部２４８によるコマ送りの操作に応じて、プリント時点が新しい順に画像を読み出して再生させる。なお、プリント時点が新しい順に再生されるのは、順方向にコマ送りした場合であり、逆方向にコマ送りした場合は、その逆の順番で再生される。
【０１３１】
一方、第２再生モードに設定されると、再生制御部２４０ｂは、内部メモリー２２２の第２記憶領域２２２ｂに記録された画像を読み出して、モニター２２に表示させる。この際、再生制御部２４０ｂは、まず、最後に撮影された画像を読み出して、モニター２２に表示させる。すなわち、コマ番号が最も大きい画像を読み出して再生させる。以後、操作部２４８によるコマ送りの操作に応じて、コマ番号順に画像を読み出して画像を再生させる。なお、コマ番号順に画像が再生されるのは、順方向にコマ送りした場合であり、逆方向にコマ送りした場合は、その逆の順番で再生される。
【０１３２】
コマ送りの操作は、コマンドダイヤル２４ｂで行われる。具体的には、コマンドダイヤル２４ｂを時計回りに回転操作すると、順方向にコマ送りされ、コマンドダイヤル２４ｂを反時計回りに回転操作すると、逆方向にコマ送りされる。また、コマンドダイヤル２４ｂを右方向に押圧操作すると、順方向にコマ送りされ、左方向に押圧操作すると、逆方向にコマ送りされる。
【０１３３】
＜画像加工部＞
画像加工部２４０ｃは、操作部２４８からの加工指示に応じて、再生中の画像を加工する処理を行う。
【０１３４】
上記のように、本実施の形態のプリンター付きデジタルカメラ１では、画像加工として、ビネット加工、エフェクト加工、明るさ変更が可能である。
【０１３５】
（１）ビネット加工
画像再生中にビネットボタン２４ｃ１が押圧されると、再生中の画像に対してビネット加工が指示される。画像加工部２４０ｃは、ビネット加工の指示に応じて、再生中の画像をビネット加工する。上記のように、ビネット加工とは、画像の周辺を暗くする加工のことである。
【０１３６】
ビネット加工は、その加工の強度を調整でき、設定された強度で実施される。強度の調整は、モニター２２を利用して、モニター２２に設定可能な強度が表示される。ユーザーは、好みの強度をコマンドダイヤル２４ｂの操作で選択し、ＯＫボタン２４ａで選択を確定させる。
【０１３７】
図１０は、ビネット加工の一例を示す図である。
【０１３８】
なお、同図（Ａ）は、未加工の状態を示しており、同図（Ｂ）は、標準の加工状態を示している。また、同図（Ｃ）は、強度を弱めて加工した状態を示している。
【０１３９】
同図に示すように、ビネット加工することにより、周辺光量を落として撮影したように、画像の周辺が暗く加工される。また、強度を調整することにより、暗くなる程度が調整される。
【０１４０】
（２）エフェクト加工
画像再生中にエフェクトボタン２４ｃ２が押圧されると、再生中の画像に対してエフェクト加工が指示される。画像加工部２４０ｃは、エフェクト加工の指示に応じて、再生中の画像をエフェクト加工する。
【０１４１】
本実施の形態のプリンター付きデジタルカメラ１では、エフェクト加工として、画像の色調を変える加工を実施する。色調は、モノクロ、セピア、ビビッドのいずれかを選択可能に構成される。モノクロが選択された場合、画像加工部２４０ｃは、再生中の画像の色調をモノクロに変える処理を行う。また、セピアが選択された場合、画像加工部２４０ｃは、再生中の画像の色調をセピア調に変える処理を行う。また、ビビッドが選択された場合、画像加工部２４０ｃは、再生中の画像の彩度を上げ、鮮やかな色調に変える処理を行う。
【０１４２】
色調の選択は、モニター２２を利用して、モニター２２に設定可能な色調が表示される。ユーザーは、好みの色調をコマンドダイヤル２４ｂの操作で選択し、ＯＫボタン２４ａで選択を確定させる。
【０１４３】
（３）明るさ変更
画像再生中に明るさボタン２４ｃ３が押圧されると、再生中の画像に対して明るさ変更が指示される。画像加工部２４０ｃは、明るさ変更の指示に応じて、再生中の画像の明るさを変える加工を行う。
【０１４４】
明るさは、プラス側とマイナス側の双方に加工でき、設定された変更量を加工される。プラス側に設定された場合は、画像が明るく加工され、マイナス側に設定された場合は、画像が暗く加工される。設定は、モニター２２を利用して行われ、モニター２２に設定可能な明るさが表示される。ユーザーは、コマンドダイヤル２４ｂの操作で好みの明るさを選択し、ＯＫボタン２４ａで選択を確定させる。
【０１４５】
＜撮影制御部＞
撮影制御部２４０ｄは、撮影処理を行う。撮影処理は、操作部２４８からの撮影指示に基づいて行われる。具体的には、第１レリーズボタン１６Ａ又は第２レリーズボタン１６Ｂの半押しで撮影準備の処理を行い、全押しで本撮影の処理を行う。
【０１４６】
撮影準備の処理では、ＡＥ（automatic exposure：自動露出）、及び、ＡＦ（autofocus：オートフォーカス）の各処理を実施する。ＡＥにより、露出が決定し、ＡＦにより、主要被写体にフォーカシングされる。
【０１４７】
本撮影の処理では、決定した露出に基づき、イメージセンサー４２が露光され、記録用の画像が取り込まれる。
【０１４８】
また、撮影制御部２４０ｄは、ライブビューの処理を行う。ライブビューとは、イメージセンサー４２で捉えた画像をモニター２２にリアルタイムに表示することである。ライブビューは、スルー表示とも称される。モニター２２にライブビューすることにより、モニター２２をファインダー代わりに使用して撮影できる。
【０１４９】
＜プリント制御部＞
プリント制御部２４０ｅは、プリント処理を行う。プリント制御部２４０ｅは、プリント指示に応じて、プリンターに係わる各構成を制御し、インスタントフィルム１１０に画像をプリントする。
【０１５０】
プリントは、ユーザーからの指示に応じて実施される。また、撮影モードをオートモードに設定して撮影した場合には、画像の記録と同時に実施される。
【０１５１】
〈ワークメモリー〉
ワークメモリー２４２は、作業用のメモリーである。ワークメモリー２４２は、たとえば、ＳＤＲＡＭ（SDRAM : Synchronous Dynamic Random Access Memory）等で構成される。
【０１５２】
〈データメモリー〉
データメモリー２４４は、制御用のプログラム、制御に必要な各種データ等を記憶するメモリーである。上記のように、フレームレイアウトの情報、ダイアログの情報、操作ガイドの情報等は、データメモリー２４４に記録される。データメモリー２４４は、ＥＥＰＲＯＭ等の不揮発性メモリーで構成される。
【０１５３】
〈モニター駆動部〉
モニター駆動部２４６は、モニター２２の駆動手段である。モニター駆動部２４６は、システムコントローラー２４０の制御の下、モニター２２を駆動する。
【０１５４】
〈操作部〉
操作部２４８は、電源リング１４、第１レリーズボタン１６Ａ、第２レリーズボタン１６Ｂ、背面操作部２４、及び、撮影モード切換レバー２６で構成される。操作部２４８は、各操作部材の操作に応じた信号をシステムコントローラー２４０に出力する。
【０１５５】
〈電源部〉
電源部２５０は、システムコントローラー２４０の制御の下、各部に電源を供給する。電源部２５０は、電源としてのバッテリー、及び、電源回路を備える。
【０１５６】
［作用］
次に、画像のプリント方法を含む本実施の形態のプリンター付きデジタルカメラ１の作用について説明する。
【０１５７】
プリンター付きデジタルカメラ１は、動作モードとして、撮影モード、及び、再生モードを有する。
【０１５８】
撮影モードは、画像を撮影するモードである。上記のように、本実施の形態のプリンター付きデジタルカメラ１は、撮影モードとして、オートモード及びマニュアルモードを有する。オートモードは、撮影した画像を自動的にプリントするモードである。マニュアルモードは、ユーザーからのプリント指示に応じて、撮影した画像をプリントするモードである。
【０１５９】
再生モードは、内部メモリー２２２に記録されている画像を再生するモードである。上記のように、本実施の形態のプリンター付きデジタルカメラ１は、再生モードとして、第１再生モード及び第２再生モードを有する。第１再生モードは、内部メモリー２２２の第１記憶領域２２２ａに記録されている画像を再生するモードである。第２再生モードは、内部メモリー２２２の第２記憶領域２２２ｂに記録されている画像を再生するモードである。各モードにおいて、画像再生中にプリントを指示することにより、再生中の画像をプリントできる。
【０１６０】
以下、本実施の形態のプリンター付きデジタルカメラ１の動作をモード別に説明する。
【０１６１】
《撮影モード》
プリンター付きデジタルカメラ１は、電源を投入すると、撮影モードの状態で起動する。
【０１６２】
上記のように、本実施の形態のプリンター付きデジタルカメラ１は、撮影モードとして、オートモード及びマニュアルモードを備えている。オートモードとマニュアルモードとの切り換えは、撮影モード切換レバー２６で行われる。撮影モード切換レバー２６をオート位置に設定すると、オートモードに設定され、マニュアル位置に設定すると、マニュアルモードに設定される。
【０１６３】
〈オートモード〉
オートモードは、撮影した画像を自動的にプリントするモードである。
【０１６４】
図１１は、オートモードでの処理手順を示すフローチャートである。
【０１６５】
まず、システムコントローラー２４０は、モニター２２に対してライブビューを行う（ステップＳ１０）。
【０１６６】
図１２は、ライブビュー中のモニターの画面表示の一例を示す図である。
【０１６７】
同図に示すように、モニター２２の画面中央にライブビュー画像ＬＶＩが表示され、その両サイドにサイドバーＳＢＬ、ＳＢＲが表示される。
【０１６８】
画面左側のサイドバーＳＢＬには、設定中の撮影モードの情報が表示される。設定中の撮影モードの情報は、アルファベット１文字で表示され、オートモードの場合は「Ａ」、マニュアルモードの場合は「Ｍ」と表示される。図１２は、オートモードに設定されている場合の画面表示であるため、画面左側のサイドバーＳＢＬには、オートモードを表わす「Ａ」の文字が表示される。
【０１６９】
画面右側のサイドバーＳＢＲには、フィルム残量が表示される。フィルム残量は、ドットで表示される。具体的には、フィルム残量に応じた数のドットが、同一直線上に一定の間隔で表示される。図１２は、フィルム残量が１０枚の場合の例を示している。ドットは、フィルム残量が一定以下になると表示色が変わる。具体的には、フィルム残量が３枚以上の場合は、白色で表示され、２枚以下になると、赤色で表示される。また、フィルム残量が０になると、１０個のグレーのドットが点滅して表示される。インスタントフィルムパック１００が未装填の場合も同様であり、１０個のグレーのドットが点滅して表示される。
【０１７０】
ユーザーは、モニター２２にライブビュー表示される画像を見て構図を決定し、被写体に対する合焦状態を確認する。
【０１７１】
システムコントローラー２４０は、操作部２４８からの信号に基づいて、本撮影の指示の有無を判定する（ステップＳ１１）。そして、本撮影の指示に応じて、本撮影の処理を実施する（ステップＳ１２）。
【０１７２】
本撮影の指示は、第１レリーズボタン１６Ａ又は第２レリーズボタン１６Ｂの全押しで行われる。なお、その前段階として、第１レリーズボタン１６Ａ又は第２レリーズボタン１６Ｂの半押しで撮影準備が行われる。
【０１７３】
本撮影すると、システムコントローラー２４０は、撮影した画像をモニター２２にプレビューする（ステップＳ１３）。
【０１７４】
図１３は、プレビュー中のモニターの画面表示の一例を示す図である。
【０１７５】
同図に示すように、プレビューすることにより、撮影した画像がモニター２２の画面中央に表示される。
【０１７６】
この後、システムコントローラー２４０は、撮影した画像を内部メモリー２２２の第２記憶領域２２２ｂに記録する（ステップＳ１４）。そして、撮影した画像のプリント処理を実行する（ステップＳ１５）。
【０１７７】
プリント処理は、次の手順で行われる。まず、プリント用画像信号処理部２３６でプリント用の画像データが生成される。次に、フィルム送出機構５２によってインスタントフィルムパック１００からインスタントフィルム１１０が一枚送り出される。インスタントフィルムパック１００から送り出されたインスタントフィルム１１０は、フィルム搬送機構５４によって一定の速度で搬送される。その搬送過程で露光部１１２が、プリントヘッド５６によって露光され、露光面１１０ａに画像が記録される。露光されたインスタントフィルム１１０は、その後、展開ローラー対５４Ｂの間を搬送されることで現像処理され、プリント排出口２８から排出される。
【０１７８】
なお、インスタントフィルム１１０は、トラップ部１１６が上、ポッド部１１４が下となる向きで観賞に供される。したがって、画像は、トラップ部１１６が上、ポッド部１１４が下となる向きでプリントされる。インスタントフィルム１１０は、ポッド部１１４を先頭にしてプリント排出口２８から排出されるので、上下が逆転した状態で排出される。したがって、インスタントフィルム上の画像も上下が逆転している。
【０１７９】
図１４は、インスタントフィルムの排出状態を示す図である。なお、同図は、現像が完全に終了した後の状態を示している。同図において、矢印ｆで示す方向が、インスタントフィルム１１０の排出方向である。
【０１８０】
インスタントフィルム１１０は、カメラボディー１０の天面から排出され、かつ、モニター２２の表示面とほぼ平行に排出される。
【０１８１】
インスタントフィルム１１０の排出方向ｆは、モニター２２の短辺と平行な方向であり、カメラボディー１０の天面から真上に向かう方向である。したがって、モニター２２から見てインスタントフィルム１１０は上方向に排出される。
【０１８２】
また、インスタントフィルム１１０は、観察面１１０ｂをカメラボディー１０の背面側に向けて排出される。すなわち、カメラボディー１０の背面側に画像が表示されるように排出される。
【０１８３】
また、インスタントフィルム１１０は、ポッド部１１４を先頭にして排出される。すなわち、ポッド部１１４を上にして排出される。ここで、上記のように、画像はポッド部１１４を下にしてプリントされる。したがって、インスタントフィルム１１０は、実際に観賞する向きとは、逆向きでカメラボディー１０から排出される。すなわち、画像が下に向いた状態で排出される。
【０１８４】
システムコントローラー２４０は、プリント処理と平行して、プリントした画像を内部メモリー２２２の第１記憶領域２２２ａに記録する（ステップＳ１６）。
【０１８５】
なお、第１記憶領域２２２ａに記録できる画像の数には制限がある。既に規定枚数の画像が、第１記憶領域２２２ａに記録されている場合、システムコントローラー２４０は、プリント時点が最も古い画像を第１記憶領域２２２ａから消去して、新たにプリントされた画像を記録する。
【０１８６】
図１５は、プリントした画像を第１記憶領域に記録する場合の処理の手順を示すフローチャートである。
【０１８７】
まず、システムコントローラー２４０は、内部メモリー２２２の第１記憶領域２２２ａに規定枚数の画像が記録されているか否かを判定する（ステップＳ１６ａ）。
【０１８８】
内部メモリー２２２の第１記憶領域２２２ａに規定枚数の画像が記録されていない、と判定すると、システムコントローラー２４０は、新たにプリントされた画像をそのまま内部メモリー２２２の第１記憶領域２２２ａに記録する（ステップＳ１６ｃ）。この際、プリント日時の情報を付加して、画像を記録する。
【０１８９】
一方、内部メモリー２２２の第１記憶領域２２２ａに規定枚数の画像が記録されている、と判定すると、システムコントローラー２４０は、第１記憶領域２２２ａに記録されている画像の中からプリント時点が最も古い画像を抽出し、その画像を第１記憶領域２２２ａから消去する（ステップＳ１６ｂ）。この後、システムコントローラー２４０は、新たにプリントされた画像をそのまま内部メモリー２２２の第１記憶領域２２２ａに記録する（ステップＳ１６ｃ）。この際、プリント日時の情報を付加して、画像を記録する。
【０１９０】
このように、既に規定枚数の画像が第１記憶領域２２２ａに記録されている場合は、プリント時点が最も古い画像を消去して、新たにプリントされた画像を第１記憶領域２２２ａに記録する。これにより、重要度の高い画像のみを自動的に選別して保存しておくことができる。
【０１９１】
システムコントローラー２４０は、プリント処理に連動して、プリントアニメーションの処理を実行する（ステップＳ１７）。
【０１９２】
プリントアニメーションの処理は、プリントのイメージ画像をモニター２２に表示し、そのイメージ画像をインスタントフィルム１１０の排出方向に沿って移動させて画面から消去する処理である。プリントのイメージ画像とは、出力されるプリントをイメージした画像のことである。このプリントのイメージ画像の排出をモニター２２の画面上でアニメーション表示することにより、プリントが排出されることをユーザーに認識させることができる。
【０１９３】
図１６は、プリントアニメーション処理時のモニターの画面表示の遷移を示す図である。同図において、（Ａ）、（Ｂ）、（Ｃ）、（Ｄ）の順で画面の表示が経時的に変化する。同図（Ａ）はプリント開始時、同図（Ｂ）及び（Ｃ）はプリント中（排出中）、同図（Ｄ）はプリント終了時（排出完了時）の画面の表示を示している。
【０１９４】
図１６（Ａ）に示すように、まず、システムコントローラー２４０は、プリントのイメージ画像Ｉｍ１をモニター２２に表示する。本実施の形態では、プリントする画像を枠Ｆｌに収めた画像でプリントのイメージ画像Ｉｍ１が構成される。枠Ｆｌは、一定の幅を有する白色の枠で構成され、画像の全周を囲むように配置される。上記のように、インスタントフィルム１１０にプリントされる画像は、枠１１８ａ内に表示される（図６及び図１２参照）。したがって、プリントのイメージ画像Ｉｍ１も、プリントする画像を枠Ｆｌに収めた画像で構成することにより、当該画像がプリントされることを明確にできる。
【０１９５】
図１６（Ａ）に示すように、プリントのイメージ画像Ｉｍ１は、モニター２２にプレビューされた画像の上に重ねて表示される。したがって、プリントする画像として、モニター２２にプレビューされた画像は、イメージ画像Ｉｍ１に隠れて視認できなくなる。
【０１９６】
この後、システムコントローラー２４０は、図１６（Ｂ）〜（Ｄ）に示すように、インスタントフィルム１１０の排出方向ｆである上方向にイメージ画像Ｉｍ１を移動させて、モニター２２の画面から消去される。このイメージ画像Ｉｍ１の移動は、インスタントフィルム１１０の排出に連動しており、インスタントフィルム１１０の排出の完了と同時に消去も完了する。
【０１９７】
なお、イメージ画像Ｉｍ１が移動するに従って、イメージ画像Ｉｍ１の下に表示されていた画像、プリント対象の画像Ｉｍが徐々に表示されてゆく。なお、本例では、プリントアニメーションの際、プリント対象の画像Ｉｍの明るさ（明度）を下げて表示している。このように、プリント対象の画像Ｉｍの明るさを下げて表示することにより、イメージ画像Ｉｍ１との区別を明瞭にでき、視認性を向上できる。なお、本例では明るさを変えているが、この他、彩度を変えて区別したり、明度と彩度の双方を変えて区別したりすることもできる。また、明るさ等は変えずに、そのまま表示することもできる。
【０１９８】
このように、プリントの画像Ｉｍ１をインスタントフィルム１１０の排出方向に沿って移動させて画面から消去することにより、一見して画像がプリントされることを把握でき、かつ、プリントの排出方向も把握できる。これにより、操作性を向上できる。
【０１９９】
プリントのイメージ画像Ｉｍ１が画面から完全に消去されると、図１３（Ｄ）に示すように、イメージ画像Ｉｍ１の下に隠れていた画像Ｉｍがモニター２２に完全に表示される。この画像Ｉｍは、プリントする画像としてモニター２２にプレビューされていた画像であり、この画像Ｉｍが表示されることにより、ユーザーは、プリントした画像をモニター２２上で確認できる。
【０２００】
プリント確認用の画像Ｉｍの表示は、一定時間継続して行われる。この後、システムコントローラー２４０は、オートモードが終了したか否かを判断する（ステップＳ１８）。すなわち、操作部２４８からの信号に基づいて、電源がオフされたか否か、モードが切り換えられたか否かを判断する。オートモードが終了したと判断すると、オートモードでの処理を終了する。一方、オートモードが終了していないと判断すると、ステップＳ１０に戻る。この場合、モニター２２の表示が、ライブビューに切り換えられる。
【０２０１】
以上のように、オートモードで撮影すると、撮影した画像が自動的にプリントされる。また、撮影した画像が内部メモリー２２２の第２記憶領域２２２ｂに記録され、プリントした画像が内部メモリー２２２の第１記憶領域２２２ａに記録される。なお、撮影した画像がプリントされるので、第１記憶領域２２２ａには、第２記憶領域２２２ｂと同じ画像が記録される。
【０２０２】
〈マニュアルモード〉
マニュアルモードは、ユーザーからのプリント指示に応じて、撮影した画像をプリントするモードである。マニュアルモードでは、撮影後、モニター２２に撮影した画像がプレビューされる。ユーザーは、モニター２２にプレビューされた画像を確認して、プリントの要否を判断する。そして、必要に応じてプリントを指示する。また、マニュアルモードでは、プレビューされた画像を加工できる。ユーザーは、必要に応じて画像を加工し、プリントを指示する。
【０２０３】
図１７は、マニュアルモードでの処理手順を示すフローチャートである。
【０２０４】
まず、システムコントローラー２４０は、モニター２２に対してライブビューを行う（ステップＳ２０）。すなわち、イメージセンサー４２で捉えた画像をモニター２２にリアルタイムに表示する。なお、マニュアルモードであるので、画面左側のサイドバーＳＢＬには、マニュアルモードを表わす「Ｍ」の文字が表示される。
【０２０５】
システムコントローラー２４０は、操作部２４８からの信号に基づいて、本撮影の指示の有無を判定する（ステップＳ２１）。そして、本撮影の指示に応じて、本撮影の処理を実施し（ステップＳ２２）、撮影した画像をモニター２２にプレビューする（ステップＳ２３）。ユーザーは、このモニター２２にプレビューされた画像を確認して、加工の要否、及び、プリントの要否を判断する。
【０２０６】
プレビュー後、まず、システムコントローラー２４０は、操作部２４８から信号に基づいて、加工の指示の有無を判定する（ステップＳ２４）。すなわち、ビネットボタン２４ｃ１、エフェクトボタン２４ｃ２、又は、明るさボタン２４ｃ３が押圧されて、ビネット加工、エフェクト加工、又は、明るさ変更が指示されたか否かを判定する。
【０２０７】
加工指示あり、と判定すると、システムコントローラー２４０は、指示された加工内容に従ってモニター２２に表示中の画像を加工する（ステップＳ２５）。なお、画像を加工した場合、加工後の画像が、モニター２２に表示される。
【０２０８】
この後、システムコントローラー２４０は、操作部２４８から信号に基づいて、プリントの指示の有無を判定する（ステップＳ２６）。
【０２０９】
プリントの指示は、プリントボタン２４ｃ４を押圧することにより行われる。プリントボタン２４ｃ４が押圧されると、システムコントローラー２４０は、プリントの実行を問い合わせるダイアログをモニター２２に表示させる。
【０２１０】
図１８は、ダイアログが表示されたモニターの画面表示の一例を示す図である。
【０２１１】
同図に示すように、ダイアログＤＬは、半円形状の図形で構成され、画面の下縁から張り出して表示される。ダイアログＤＬには、プリントを表わす図形と「ＰＲＩＮＴ」の文字、バックボタンを表わす図形と「ＢＡＣＫ」の文字、及び、ＯＫボタンを表わす図形と「ＯＫ」の文字が表示される。ダイアログＤＬは、プリント対象の画像である表示中の画像の上に重ねて表示される。ダイアログＤＬが表示されることにより、ユーザーは、ＯＫボタン２４ａを押すと、プリントの指示が確定し、バックボタン２４ｃ５を押すと、プリントの指示がキャンセルされることを把握できる。また、本実施の形態のプリンター付きデジタルカメラ１は、背面操作部２４が円形状であることから、ダイアログＤＬを円の一部である半円形状の図形で構成することにより、ダイアログＤＬの表示と背面操作部２４との関係性を明確にできる。また、背面操作部２４に最も近接する縁である下縁から真上に向けて張り出すようにダイアログＤＬを表示することにより、ダイアログＤＬの表示と背面操作部２４との関係性をより明確にできる。
【０２１２】
ユーザーは、モニター２２に表示されている画像をプリントする場合は、プリントボタン２４ｃ４を押圧し、その後、ダイアログＤＬの表示に従ってＯＫボタン２４ａを押圧する。これにより、プリントの指示が確定する。
【０２１３】
プリントを指示した後、思い直してプリントの指示をキャンセルする場合は、バックボタン２４ｃ５を押圧する。これにより、プリントの指示がキャンセルされる。プリントの指示がキャンセルされると、モニター２２の表示は指示前の状態に復帰する。すなわち、ダイアログＤＬの表示が消去される。
【０２１４】
プリントの指示が確定すると、システムコントローラー２４０は、プリント処理を実行する（ステップＳ２７）。そして、そのプリント処理と平行して、プリントした画像を内部メモリー２２２の第１記憶領域２２２ａに記録する（ステップＳ２８）。この際、既に規定枚数の画像が、第１記憶領域２２２ａに記録されている場合は、プリント時点が最も古い画像が、第１記憶領域２２２ａから消去されて、新たにプリントされた画像が第１記憶領域２２２ａに記録される（図１５参照）。
【０２１５】
また、システムコントローラー２４０は、プリント処理に連動して、プリントアニメーションの処理を実行する（ステップＳ２９）。すなわち、モニター２２に表示中の画像の上に重ねてプリントのイメージ画像を表示し、そのイメージ画像をインスタントフィルム１１０の排出方向ｆに沿って移動させて、画面から消去する（図１６参照）。これにより、モニター２２の表示から一見して画像Ｉｍがプリントされることを把握でき、かつ、プリントの排出方向も把握できる。
【０２１６】
この後、システムコントローラー２４０は、撮影した画像を内部メモリー２２２の第２記憶領域２２２ｂに記録する（ステップＳ３０）。この際、画像を加工している場合は、加工後の画像が、撮影した画像として記録される。また、撮影した画像をプリントした場合は、第１記憶領域２２２ａに記録した画像と同じ画像が記録される。
【０２１７】
この後、システムコントローラー２４０は、マニュアルモードが終了したか否かを判断する（ステップＳ３１）。すなわち、操作部２４８からの信号に基づいて、電源がオフされたか否か、モードが切り換えられたか否かを判断する。マニュアルモードが終了したと判断すると、マニュアルモードでの処理を終了する。一方、マニュアルモードが終了していないと判断すると、ステップＳ２０に戻る。この場合、モニター２２の表示が、ライブビューに切り換えられる。
【０２１８】
以上のように、マニュアルモードでは、ユーザーからプリントが指示された場合にのみ、撮影した画像がプリントされる。したがって、マニュアルモードの場合は、プリントを希望する画像のみをプリントできる。
【０２１９】
また、マニュアルモードにおいても、撮影すると、撮影した画像が内部メモリー２２２の第２記憶領域２２２ｂに記録される。また、プリントすると、プリントした画像が内部メモリー２２２の第１記憶領域２２２ａに記録される。
【０２２０】
《再生モード》
上記のように、本実施の形態のプリンター付きデジタルカメラ１は、再生モードとして、第１再生モード及び第２再生モードを有する。
【０２２１】
第１再生モードは、内部メモリー２２２の第１記憶領域２２２ａに記録されている画像を再生するモードである。
【０２２２】
第２再生モードは、内部メモリー２２２の第２記憶領域２２２ｂに記録されている画像を再生するモードである。
【０２２３】
各モードにおいて、画像再生中にプリントを指示することにより、再生中の画像をプリントできる。
【０２２４】
撮影モードから再生モードへの切り換えは、再生ボタン２４ｃ６で行われる。撮影モードに設定されている状態で再生ボタン２４ｃ６を押圧すると、プリンター付きデジタルカメラ１の動作モードが、再生モードに切り換えられる。この際、第２再生モードに設定された状態で切り換えられる。すなわち、第２再生モードが標準の再生モードとして設定されており、撮影モードから再生モードに切り換えると、第２再生モードの状態で再生モードに設定される。第２再生モードから第１再生モードへの切り換えは、上記のように、再生用のメニュー画面で行われる。すなわち、再生用のメニュー画面で「プリント履歴」の項目を選択することにより、第１再生モードに切り換えられる。
【０２２５】
以下においては、まず、標準の再生モードである第２再生モードでの動作について説明し、その後、第１再生モードでの動作について説明する。
【０２２６】
〈第２再生モード〉
第２再生モードは、内部メモリー２２２の第２記憶領域２２２ｂに記録されている画像を再生するモードである。
【０２２７】
図１９は、第２再生モードでの処理手順を示すフローチャートである。
【０２２８】
再生モードに設定されると、システムコントローラー２４０は、内部メモリー２２２の第２記憶領域２２２ｂに記録されている画像を１枚読み出し、モニター２２に表示する（ステップＳ４０）。最初に読み出す画像は、内部メモリー２２２に最後に記録された画像、すなわち、最後に撮影された画像である。
【０２２９】
図２０は、再生モードに設定された場合のモニターの画面表示の一例を示す図である。
【０２３０】
同図に示すように、モニター２２の画面中央に読み出した画像Ｉｍが表示され、その両サイドにサイドバーＳＢＬ、ＳＢＲが表示される。画面左側のサイドバーＳＢＬには、順方向コマ送りした場合に次に再生される画像の一部（右端部分）が明度を下げて表示される。また、画面右側のサイドバーＳＢＲには、逆方向にコマ送りした場合に次に再生される画像の一部（左端部分）が明度を下げて表示される。
【０２３１】
画像を再生すると、システムコントローラー２４０は、操作部２４８からの信号に基づいて、画像の加工のト指示の有無を判定する（ステップＳ４１）。すなわち、ビネットボタン２４ｃ１、エフェクトボタン２４ｃ２、又は、明るさボタン２４ｃ３が押圧されて、ビネット加工、エフェクト加工、又は、明るさ変更が指示されたか否かを判定する。
【０２３２】
加工指示あり、と判定すると、システムコントローラー２４０は、指示された加工内容に従ってモニター２２に表示中の画像を加工する（ステップＳ４２）。
【０２３３】
そして、画像を加工した場合は、第２記憶領域２２２ｂに記録されている画像を加工後の画像に更新する（ステップＳ４３）。
【０２３４】
この後、システムコントローラー２４０は、操作部２４８から信号に基づいて、プリントの指示の有無を判定する（ステップＳ４４）。
【０２３５】
プリントの指示は、プリントボタン２４ｃ４を押圧することにより行われる。プリントボタン２４ｃ４が押圧されると、システムコントローラー２４０は、プリントの実行を問い合わせるダイアログをモニター２２に表示させる。
【０２３６】
図２１は、ダイアログが表示されたモニターの画面表示の一例を示す図である。
【０２３７】
同図に示すように、ダイアログＤＬは、半円形状の図形で構成され、画面の下縁から張り出して表示される。ダイアログＤＬには、プリントを表わす図形と「ＰＲＩＮＴ」の文字、バックボタンを表わす図形と「ＢＡＣＫ」の文字、及び、ＯＫボタンを表わす図形と「ＯＫ」の文字が表示される。ダイアログＤＬは、プリント対象の画像である表示中の画像の上に重ねて表示される。
【０２３８】
ダイアログＤＬが表示されることにより、ユーザーは、ＯＫボタン２４ａを押すと、プリントの指示が確定し、バックボタン２４ｃ５を押すと、プリントの指示がキャンセルされることを把握できる。
【０２３９】
ユーザーは、プリントの指示を確定する場合は、ＯＫボタン２４ａを押圧する。これにより、プリントの指示が確定する。
【０２４０】
プリントの指示が確定すると、システムコントローラー２４０は、再生中の画像に対して、プリント処理を実行する（ステップＳ４５）。そして、そのプリント処理と平行して、プリントした画像を内部メモリー２２２の第１記憶領域２２２ａに記録する（ステップＳ４６）。この際、既に規定枚数の画像が、第１記憶領域２２２ａに記録されている場合は、プリント時点が最も古い画像が第１記憶領域２２２ａから消去されて、新たにプリントされた画像が第１記憶領域２２２ａに記録される（図１５参照）。
【０２４１】
また、システムコントローラー２４０は、プリント処理に連動して、プリントアニメーションの処理を実行する（ステップＳ４７）。すなわち、表示中の画像Ｉｍの上に重ねてプリントのイメージ画像を表示し、そのイメージ画像をインスタントフィルム１１０の排出方向ｆに沿って移動させて、画面から消去する（図１６参照）。これにより、モニター２２の表示から一見して画像Ｉｍがプリントされることを把握でき、かつ、プリントの排出方向も把握できる。
【０２４２】
この後、システムコントローラー２４０は、操作部２４８からの信号に基づいて、コマ送りの指示の有無を判定する（ステップＳ４８）。
【０２４３】
コマ送りの操作は、コマンドダイヤル２４ｂで行われる。コマンドダイヤル２４ｂを右方向に押圧すると、あるいは、コマンドダイヤル２４ｂを時計回りに回転操作すると、順方向へのコマ送りが指示される。また、コマンドダイヤル２４ｂを左方向に押圧すると、あるいは、コマンドダイヤル２４ｂを反時計回りに回転操作すると、逆方向へのコマ送りが指示される。
【０２４４】
画像は１枚ずつコマ送りされる。すなわち、コマンドダイヤル２４ｂを右方向に１回押圧するたびに、あるいは、コマンドダイヤル２４ｂを時計回りに一定量回転操作するたびに、画像が１枚ずつ順方向にコマ送りされる。また、コマンドダイヤル２４ｂを左方向に１回押圧するたびに、あるいは、コマンドダイヤル２４ｂを反時計回りに一定量回転操作するたびに、画像が１枚ずつ逆方向にコマ送りされる。
【０２４５】
順方向にコマ送りすることにより、コマ番号順に画像がコマ送りされ、逆方向にコマ送りすることにより、その逆の順番で画像がコマ送りされる。
【０２４６】
システムコントローラー２４０は、コマ送りの指示あり、と判定すると、指示された方向にコマ送りする（ステップＳ４９）。すなわち、順方向にコマ送りが指示された場合は、順方向にコマ送りし、逆方向にコマ送りが指示された場合は、逆方向にコマ送りする。
【０２４７】
この後、システムコントローラー２４０は、第２再生モードが終了したか否かを判断する（ステップＳ５０）。すなわち、操作部２４８からの信号に基づいて、電源がオフされたか否か、モードが切り換えられたか否かを判断する。第２再生モードが終了したと判断すると、第２再生モードでの処理を終了する。
【０２４８】
以上のように、第２再生モードに設定することにより、内部メモリー２２２の第２記憶領域２２２ｂに記録されている画像をモニター２２で再生できる。また、モニター２２に表示中の画像を加工でき、かつ、プリントできる。また、プリントした場合には、プリントした画像が、内部メモリー２２２の第１記憶領域２２２ａに記録される。
【０２４９】
〈第１再生モード〉
第１再生モードは、内部メモリー２２２の第１記憶領域２２２ａに記録されている画像を再生するモードである。
【０２５０】
再生用のメニュー画面で「プリント履歴」の項目を選択することにより、第１再生モードに切り換えられる。すなわち、第１再生モードは、プリント履歴を確認するモードとして位置付けられる。
【０２５１】
図２２は、第１再生モードでの処理手順を示すフローチャートである。
【０２５２】
再生モードに設定されると、システムコントローラー２４０は、内部メモリー２２２の第１記憶領域２２２ａに記録されている画像を１枚読み出し、モニター２２に表示する（ステップＳ６０）。最初に読み出す画像は、プリント時点が最も新しい画像、すなわち、最後にプリントされた画像である。
【０２５３】
なお、画像の表示形態は、第２再生モードと同じである（図２０参照）。すなわち、モニター２２の画面中央に読み出した画像Ｉｍが表示され、その両サイドにサイドバーＳＢＬ、ＳＢＲが表示される。画面左側のサイドバーＳＢＬには、順方向コマ送りした場合に次に再生される画像の一部（右端部分）が明度を下げて表示される。また、画面右側のサイドバーＳＢＲには、逆方向にコマ送りした場合に次に再生される画像の一部（左端部分）が明度を下げて表示される。
【０２５４】
画像を再生すると、システムコントローラー２４０は、操作部２４８から信号に基づいて、プリントの指示の有無を判定する（ステップＳ６１）。
【０２５５】
プリントの指示は、プリントボタン２４ｃ４を押圧することにより行われる。プリントボタン２４ｃ４が押圧されると、システムコントローラー２４０は、プリントの実行を問い合わせるダイアログをモニター２２に表示させる（図２１参照）。
【０２５６】
プリントが指示されると、システムコントローラー２４０は、再生中の画像に対して、プリント処理を実行する（ステップＳ６２）。そして、そのプリント処理と平行して、プリントした画像のプリント日時の情報を更新する（ステップＳ６３）。すなわち、プリントした画像は、既に第１記憶領域２２２ａに記録されているので、プリント時点を表わす情報であるプリント日時の情報のみを更新する。これにより、同じ画像が重複して記録されるのを防止できる。
【０２５７】
また、システムコントローラー２４０は、プリント処理に連動して、プリントアニメーションの処理を実行する（ステップＳ６４）。すなわち、表示中の画像Ｉｍの上に重ねてプリントのイメージ画像を表示し、そのイメージ画像をインスタントフィルム１１０の排出方向ｆに沿って移動させて、画面から消去する（図１６参照）。これにより、モニター２２の表示から一見して画像Ｉｍがプリントされることを把握でき、かつ、プリントの排出方向も把握できる。
【０２５８】
この後、システムコントローラー２４０は、操作部２４８からの信号に基づいて、コマ送りの指示の有無を判定する（ステップＳ６５）。
【０２５９】
コマ送りの操作は、コマンドダイヤル２４ｂで行われる。コマンドダイヤル２４ｂを右方向に押圧すると、あるいは、コマンドダイヤル２４ｂを時計回りに回転操作すると、順方向へのコマ送りが指示される。また、コマンドダイヤル２４ｂを左方向に押圧すると、あるいは、コマンドダイヤル２４ｂを反時計回りに回転操作すると、逆方向へのコマ送りが指示される。
【０２６０】
画像は１枚ずつコマ送りされる。すなわち、コマンドダイヤル２４ｂを右方向に１回押圧するたびに、あるいは、コマンドダイヤル２４ｂを時計回りに一定量回転操作するたびに、画像が１枚ずつ順方向にコマ送りされる。また、コマンドダイヤル２４ｂを左方向に１回押圧するたびに、あるいは、コマンドダイヤル２４ｂを反時計回りに一定量回転操作するたびに、画像が１枚ずつ逆方向にコマ送りされる。
【０２６１】
順方向にコマ送りすることにより、プリント時点が新しい順に画像がコマ送りされ、逆方向にコマ送りすることにより、その逆の順番で画像がコマ送りされる。
【０２６２】
システムコントローラー２４０は、コマ送りの指示あり、と判定すると、操作部２４８の操作に基づいて、画像をコマ送りする（ステップＳ６６）。
【０２６３】
この後、システムコントローラー２４０は、第１再生モードが終了したか否かを判断する（ステップＳ６７）。すなわち、操作部２４８からの信号に基づいて、電源がオフされたか否か、モードが切り換えられたか否かを判断する。第１再生モードが終了したと判断すると、第１再生モードでの処理を終了する。
【０２６４】
以上のように、第１再生モードに設定することにより、内部メモリー２２２の第１記憶領域２２２ａに記録されている画像をモニター２２で再生できる。また、モニター２２に表示中の画像をプリントできる。
【０２６５】
この第１再生モードでは、プリント済みの画像だけが再生されるため、リプリントする際、目的とする画像を簡単に、かつ、効率よく探索できる。
【０２６６】
また、プリント時点が新しい順に画像が再生されるため、繰り返しリプリントされる画像を優先的に再生できる。これにより、より効率よく目的とする画像を探索できる。
【０２６７】
更に、第１記憶領域２２２ａに記録できる画像の数が制限されることにより、効率よく目的とする画像を探索できる。
【０２６８】
◆◆変形例◆◆
［プリント時点の管理方法］
上記実施の形態では、画像にプリント時点の情報（プリント日時の情報）を付加して記録することにより、第１記憶領域２２２ａに記録する各画像のプリント時点を管理する構成としているが、各画像のプリント時点を管理する方法は、これに限定されるものではない。この他、各画像のプリント時点の情報を管理するファイルを別途生成し、そのファイルで各画像のプリント時点を管理する構成とすることもできる。
【０２６９】
［画像のコピー］
プリンター付きデジタルカメラ１の一機能として、内部メモリー２２２に記録されているが画像をコピーする機能を備えてもよい。ただし、第１記憶領域２２２ａから第２記憶領域２２２ｂへの画像のコピーのみを許容し、第２記憶領域２２２ｂから第１記憶領域２２２ａへの画像のコピーは禁止することがより好ましい。
【０２７０】
第１記憶領域２２２ａから第２記憶領域２２２ｂへの画像のコピーを許容することにより、お気に入りの画像などを第２記憶領域２２２ｂに退避させることができる。
【０２７１】
一方、第１記憶領域２２２ａへの画像のコピーを禁止することにより、プリント時点の管理等が不能になるのを未然に防止できる。
【０２７２】
画像のコピーは、たとえば、第１再生モードで実施され、再生中の画像に対してコピーを指示することにより、画像が第２記憶領域２２２ｂにコピーされるように構成する。
【０２７３】
［画像サイズ］
プリントされた画像を第１記憶領域２２２ａに記録する際、画像のサイズを一定のサイズに調整して記録してもよい。すなわち、プリントに必要なサイズに調整して記録してもよい。第１記憶領域２２２ａには、プリンター付きデジタルカメラ１でリプリントするための画像が記録されるので、必ずしも大きなサイズの画像を記録する必要はない。したがって、プリントに必要なサイズの画像を記録することにより、記憶容量を無駄に消費するのを防止できる。プリントに必要なサイズは、プリンター付きデジタルカメラ１で使用するインスタントフィルム１１０のサイズ、プリントヘッド５６が実現できる解像度などで定められる。
【０２７４】
本例の場合、記録制御部が、画像を第１記憶領域２２２ａに記録する際に、画像のサイズを一定のサイズに調整して記録する。
【０２７５】
［画像の加工］
上記実施の形態では、実行可能な画像加工として、ビネット加工、エフェクト加工、明るさ変更を挙げているが、実行可能とする画像加工の例は、これに限定されるものではない。この他、画像回転、シャープネス、ソフト加工等、公知の画像加工を実行できるようにしてもよい。
【０２７６】
［画像の再生］
上記実施の形態では、画像を１枚ずつ再生する構成としているが、複数枚をまとめて再生することもできる。たとえば、画面を４分割し、４つの画像をまとめて再生してもよい（いわゆるマルチ再生）。
【０２７７】
［画像のプリント］
上記実施の形態では、画像を１枚ずつプリントする構成としているが、複数の画像を１枚のインスタントフィルム１１０にまとめてプリントできるようにしてもよい（いわゆるマルチプリント）。この場合、マルチプリントされた画像が、プリントされた画像として第１記憶領域２２２ａに記録される。
【０２７８】
［第１記憶部及び第２記憶部］
上記実施の形態では、１つの内部メモリー２２２の記憶領域を使い分けることで、１つの内部メモリー２２２に第１記憶部及び第２記憶部として機能を持たせているが、第１記憶部と第２記憶部とを物理的に分離されたメモリーで構成することもできる。たとえば、第１記憶部を第１の内部メモリーで構成し、第２記憶部を第２の内部メモリーで構成することもできる。あるいは、第１記憶部を内部メモリーで構成し、第２記憶部を着脱自在な外部メモリーで構成することもできる。
【０２７９】
図２３は、第１記憶部を内部メモリーで構成し、第２記憶部を着脱自在な外部メモリーで構成する場合のプリンター付きデジタルカメラの電気的構成を示す図である。
【０２８０】
同図に示すように、このプリンター付きデジタルカメラ１は、カードスロット２５２を備え、そのカードスロット２５２に外部メモリーとしてのメモリーカード２５４が着脱自在に装着される。この場合、メモリーカード２５４が第２記憶部として機能し、内部メモリー２２２が第１記憶部として機能する。
【０２８１】
記録制御部としてのシステムコントローラー２４０は、撮影された画像をメモリーカード２５４に記録し、プリントされた画像を内部メモリー２２２に記録する。
【０２８２】
着脱自在なメモリーカード２５４に撮影した画像を記録することにより、容量を気にせず撮影でき、使い勝手を向上させることができる。
【０２８３】
なお、本例のように着脱自在な外部メモリーを備える場合であっても、内部メモリー２２２に第２記憶部の機能を備えてもよい。この場合、ユーザーが画像の記録先を選択できるようにすることが好ましい。
【０２８４】
また、一方のメモリーの記憶容量がなくなると、自動的に他方側のメモリーに記録されるようにしてもよい。
【０２８５】
［第１記憶部への記録制限］
上記実施の形態では、第１記憶部である第１記憶領域２２２ａに一定枚数の画像を記録できるように構成しているが、第１記憶部に記録できる画像の数を第１記憶部の容量で制限してもよい。この場合、第１記憶部の残容量に基づいて、第１記憶部に記録されている画像を消去する。すなわち、新たにプリントされた画像を記録する際、残容量が不足しているか否かを判定し、不足している場合は、プリント時点が古い画像を消去して、画像を記録できるようにする。
【０２８６】
［画像の入力］
上記実施の形態では、画像を撮影することにより、プリント対象の画像を入力する構成としているが、外部機器と通信可能に構成し、外部機器からプリント対象の画像を入力できるようにしてもよい。
【０２８７】
図２４は、通信機能を備えたプリンター付きデジタルカメラの電気的構成を示す図である。
【０２８８】
同図に示すように、このプリンター付きデジタルカメラ１は、通信部２５６を備え、外部機器と通信可能に構成される。通信部２５６による通信の形態は、特に限定されず、公知の通信手法が採用される。たとえば、近距離無線による無線通信、ＵＳＢケーブル（USB: Universal Serial Bus）を用いた有線通信などが採用される。
【０２８９】
通信部２５６を備えることにより、たとえば、携帯電話、スマートフォン、タブレットなどの外部機器から画像を入力してプリントすることが可能になる。
【０２９０】
［再生モードの選択］
上記実施の形態では、画面操作で再生モードを切り換える構成としているが、再生モード選択部の構成は、これに限定されるものではない。この他、たとえば、撮影モードの選択と同様に、カメラボディー１０に再生モード切換レバーを設け、その再生モード切換レバーの操作で第１再生モード又は第２再生モードを選択する構成としてもよい。
【０２９１】
同様に、撮影モードについては、画面操作でモードを切り換える構成としてもよい。
【０２９２】
［プリンター単体への適用］
上記実施の形態では、本発明をプリンター付きデジタルカメラに適用した場合を例に説明したが、本発明の適用は、これに限定されるものではない。プリンター単体でも適用できる。
【０２９３】
［プリント方式］
上記実施の形態では、メディアとしてインスタントフィルムを使用し、露光ヘッドを用いて画像をプリントする場合を例に説明したが、使用するメディア、及び、プリントの方式は、これに限定されるものではない。この他、たとえば、メディアとして感熱紙を使用し、サーマルヘッドを用いて画像をプリントする構成とすることもできる。また、インクリボンとサーマルヘッドとを使用してメディアにプリントする構成、インクジェットヘッドを使用してメディアにプリントする構成とすることもできる。
【０２９４】
［その他の変形例］
バッテリーの残量を監視し、バッテリー残量が一定以下になると、プリントの受け付けを停止するようにしてもよい。これにより、プリント中にバッテリーが切れるのを防止できる。
【符号の説明】
【０２９５】
１  プリンター付きデジタルカメラ
１０  カメラボディー
１０Ａ  本体部
１０Ｂ  裏蓋部
１０Ｃ  ヒンジ部
１２  撮影レンズ
１２ａ  絞り
１２ｂ  シャッター
１４  電源リング
１６Ａ  第１レリーズボタン
１６Ｂ  第２レリーズボタン
１８  フラッシュ
２０  補助光ランプ
２２  モニター
２４  背面操作部
２４ａ  ＯＫボタン
２４ｂ  コマンドダイヤル
２４ｃ１  第１の機能ボタン（ビネットボタン）
２４ｃ２  第２の機能ボタン（エフェクトボタン）
２４ｃ３  第３の機能ボタン（明るさボタン）
２４ｃ４  第４の機能ボタン（プリントボタン）
２４ｃ５  第５の機能ボタン（バックボタン）
２４ｃ６  第６の機能ボタン（再生ボタン）
２６  撮影モード切換レバー
２８  プリント排出口
３０  ロック解除レバー
４２  イメージセンサー
５０  フィルム装填室
５２  フィルム送出機構
５２ａ  クロー
５４  フィルム搬送機構
５４Ａ  搬送ローラー対
５４Ｂ  展開ローラー対
５６  プリントヘッド
１００  インスタントフィルムパック
１１０  インスタントフィルム
１１０ａ  露光面
１１０ｂ  観察面
１１２  露光部
１１４  ポッド部
１１４ａ  現像処理液ポッド
１１６  トラップ部
１１６ａ  吸収材
１１８  観察部
１１８ａ  インスタントフィルムの枠
１２０  ケース
１２０ａ  開口部
１２０ｂ  排出口
１２０ｃ  クロー開口部
２１２  撮影レンズ駆動部
２１４  イメージセンサー駆動部
２１６  アナログ信号処理部
２１８  画像データ入力部
２２０  デジタル信号処理部
２２２  内部メモリー
２２２ａ  第１記憶領域
２２２ｂ  第２記憶領域
２３０  フィルム送出機構駆動部
２３２  フィルム搬送機構駆動部
２３４  プリントヘッド駆動部
２３６  プリント用画像信号処理部
２４０  システムコントローラー
２４０ａ  記録制御部
２４０ｂ  再生制御部
２４０ｃ  画像加工部
２４０ｄ  撮影制御部
２４０ｅ  プリント制御部
２４２  ワークメモリー
２４４  データメモリー
２４６  モニター駆動部
２４８  操作部
２５０  電源部
２５２  カードスロット
２５４  メモリーカード
２５６  通信部
ＤＬ  ダイアログ
Ｆ  インスタントフィルムの使用方向
ｆ  インスタントフィルムの排出方向
Ｆｌ  画像の枠
Ｉｍ  画像
Ｉｍ１  プリントのイメージ画像
ＬＶＩ  ライブビュー画像
ＳＢＬ  サイドバー
ＳＢＲ  サイドバー
Ｓ１０〜Ｓ１８  オートモードでの処理手順
Ｓ１６ａ〜Ｓ１６ｃ  プリントした画像を第１記憶領域に記録する場合の処理の手順
Ｓ２０〜Ｓ３１  マニュアルモードでの処理手順
Ｓ４０〜Ｓ５０  第２再生モードの処理手順
Ｓ６０〜Ｓ６７  第１再生モードでの処理手順
【図１】
2018094841.tif 000003
【図２】
2018094841.tif 000004
【図３】
2018094841.tif 000005
【図４】
2018094841.tif 000006
【図５】
2018094841.tif 000007
【図６】
2018094841.tif 000008
【図７】
2018094841.tif 000009
【図８】
2018094841.tif 000010
【図９】
2018094841.tif 000011
【図１０】
2018094841.tif 000012
【図１１】
2018094841.tif 000013
【図１２】
2018094841.tif 000014
【図１３】
2018094841.tif 000015
【図１４】
2018094841.tif 000016
【図１５】
2018094841.tif 000017
【図１６】
2018094841.tif 000018
【図１７】
2018094841.tif 000019
【図１８】
2018094841.tif 000020
【図１９】
2018094841.tif 000021
【図２０】
2018094841.tif 000022
【図２１】
2018094841.tif 000023
【図２２】
2018094841.tif 000024
【図２３】
2018094841.tif 000025
【図２４】
2018094841.tif 000026